(57)【要約】【課題】落下防止ワイヤの取付有無の点検効率が向上する高所設置機器を提供する。【解決手段】高所設置機器(91)は、ワイヤ取付部(7)を有して設置面(WL)に設置される第１の部材(1)と、第１の部材(1)に対し取付部材(N2)によって取り付けられたカバー(2)と、カバー(2)に対し着脱可能に取り付けられた第２の部材(32)と、ワイヤ取付部(7)と、第２の部材(32)と、の間に連結されたワイヤ(5)と、を備える。ワイヤ取付部(7)は、ワイヤ(5)が取り付られていない第１の状態で、取付部材(N2)によるカバー(2)の取り付けが不能であり、ワイヤ(5)が取り付られた第２の状態で、取付部材(N2)によるカバー(2)の取り付けが可能とされている。【選択図】図１
2020046522.tif 000002
【特許請求の範囲】
【請求項１】
ワイヤ取付部を有して設置面に設置される第１の部材と、
第１の部材に対し取付部材によって取り付けられたカバーと、
前記カバーに対し着脱可能に取り付けられた第２の部材と、
前記ワイヤ取付部と、前記第２の部材と、の間に連結されたワイヤと、
を備え、
前記ワイヤ取付部は、
前記ワイヤが取り付られていない第１の状態で、前記取付部材による前記カバーの取り付けが不能であり、
前記ワイヤが取り付られた第２の状態で、前記取付部材による前記カバーの取り付けが可能とされている高所設置機器。
【請求項２】
前記取付部材は取付ねじであり、
前記ワイヤ取付部は、
前記取付ねじが螺合する雌ねじ部と、
前記雌ねじ部を前記第１の状態で覆い前記第２の状態で露出させるように移動する移動プレートと、
を有することを特徴とする請求項１記載の高所設置機器。
【請求項３】
前記ワイヤ取付部は、
前記カバーと対向する側に開口した開口部と、
前記開口部を前記第１の状態で覆い前記第２の状態で露出させるように移動する移動プレートと、を有し、
前記カバーは、前記第２の状態で前記開口部の内部に進入可能な突起部を有していることを特徴とする請求項１記載の高所設置機器。
【請求項４】
ワイヤ取付部を有して設置面に設置される第１の部材と、
第１の部材に対し取付部材によって取り付けられたカバーと、
前記カバーに対し着脱可能に取り付けられたカメラ部と、
前記ワイヤ取付部と、前記カメラ部と、の間に連結されたワイヤと、
を備え、
前記ワイヤ取付部は、
前記ワイヤが取付られていない第１の状態で、前記取付部材による前記カバーの取り付けが不能であり、
前記ワイヤが取付られた第２の状態で、前記取付部材による前記カバーの取り付けが可能とされている撮像装置。
【発明の詳細な説明】
【技術分野】
【０００１】
本発明は、落下防止のためのワイヤを備えた高所設置機器及び撮像装置に関する。
【背景技術】
【０００２】
特許文献１に、落下防止のためのワイヤを備えて高所に設置されるテレビカメラ装置が記載されている。
【先行技術文献】
【特許文献】
【０００３】
【特許文献１】特開２０１２−０９４９７０号公報
【発明の概要】
【発明が解決しようとする課題】
【０００４】
特許文献１に記載されたテレビカメラ装置のような高所に設置される機器に設けられる落下防止のためのワイヤは、設置後の外観品位向上のため、機器内部に収められて外部に露出していない場合が多い。
この場合、機器の設置工事終了後の点検において、落下防止のためのワイヤが取付られているか否かの把握を外部から目視で行うことができない。
そのため、外観品位を維持しつつ、落下防止のためのワイヤの取り付け有無を外部から把握できるようにして、点検作業の効率を向上させることが望まれている。
【０００５】
そこで、本発明が解決しようとする課題は、落下防止のためのワイヤの取付有無の点検効率が向上する高所設置機器及び撮像装置を提供することにある。
【課題を解決するための手段】
【０００６】
上記の課題を解決するために、本発明は次の構成を有する。
１）  ワイヤ取付部を有して設置面に設置される第１の部材と、
第１の部材に対し取付部材によって取り付けられたカバーと、
前記カバーに対し着脱可能に取り付けられた第２の部材と、
前記ワイヤ取付部と、前記第２の部材と、の間に連結されたワイヤと、
を備え、
前記ワイヤ取付部は、
前記ワイヤが取り付られていない第１の状態で、前記取付部材による前記カバーの取り付けが不能であり、
前記ワイヤが取り付られた第２の状態で、前記取付部材による前記カバーの取り付けが可能とされている高所設置機器である。
２）  ワイヤ取付部を有して設置面に設置される第１の部材と、
第１の部材に対し取付部材によって取り付けられたカバーと、
前記カバーに対し着脱可能に取り付けられたカメラ部と、
前記ワイヤ取付部と、前記カメラ部と、の間に連結されたワイヤと、
を備え、
前記ワイヤ取付部は、
前記ワイヤが取付られていない第１の状態で、前記取付部材による前記カバーの取り付けが不能であり、
前記ワイヤが取付られた第２の状態で、前記取付部材による前記カバーの取り付けが可能とされている撮像装置である。
【発明の効果】
【０００７】
本発明によれば、落下防止のためのワイヤの取付有無の点検効率が向上する、という効果が得られる。
【図面の簡単な説明】
【０００８】
【図１】図１は、本発明の実施の形態に係る高所設置機器の実施例である撮像装置９１を示す斜視図である。
【図２】図２は、撮像装置９１に備えられたワイヤ取付構造ＳＫを有するベース１の平面図である。
【図３】図３は、ベース１が備えるワイヤ取付部７の平面図であり（ａ）は平面図、（ｂ）は（ａ）におけるＳ３ｂ−Ｓ３ｂ位置での断面図である。
【図４】図４は、ワイヤ取付部７におけるワイヤ取り付け準備状態を示す平面図であり、（ａ）は平面図、（ｂ）は（ａ）におけるＳ４ｂ−Ｓ４ｂ位置での断面図である。
【図５】図５は、ワイヤ取付部７にワイヤアセンブリ５を取り付けた状態を示す平面図である。
【図６】図６は、ベース１にカバー２を取り付けた状態を示す部分断面図である。
【図７】図７は、ワイヤ取付構造ＳＫの変形例１のワイヤ取付構造ＳＫＡにおいて、カバー２Ａの取付作業を説明するための部分断面図である。（ａ）はワイヤ取付部７Ａにワイヤアセンブリ５を取り付けていない状態を、（ｂ）は取り付けた状態を示す部分断面図である。
【図８】図８は、ワイヤ取付構造ＳＫの変形例２のワイヤ取付構造ＳＫＢを示す平面図であり、（ａ）はワイヤ取付部７Ｂにワイヤアセンブリ５Ｂを取り付けていない状態を示し、（ｂ）はワイヤ取付部７Ｂにワイヤアセンブリ５Ｂを取り付けた状態を示している。
【発明を実施するための形態】
【０００９】
本発明の実施の形態に係る高所設置機器及び高所設置機器のワイヤ取付構造を、実施例である撮像装置９１及びワイヤ取付構造ＳＫなどにより説明する。
【００１０】
（実施例）
図１は、高所壁面である設置面ＷＬに設置された撮像装置９１を斜め上方から見た斜視図である。撮像装置９１は、壁面，天井，及び鉄塔などの高所に設置される監視カメラ装置である。以下の説明における上下左右前後の各方向を、図１の矢印で規定する。上下方向は鉛直方向である。
【００１１】
撮像装置９１は、ベース１，カバー２，及び撮像部３を備える。
ベース１は、アンカーボルト止め、或いは板ばねを用いた弾性係合などの周知の構造により、部屋などの側壁の設置面ＷＬにしっかりと固定される。
カバー２は、ベース１に対し、取付部材としての取付ねじＮ２により複数箇所においてねじ止めされている。
【００１２】
撮像部３は、アーム部３１及びカメラ部３２を有する。
アーム部３１は、先端が下方を向くＬ字状の姿勢とされて根本側がカバー２に対し一体的に連結されている。
カメラ部３２は、アーム部３１の先端にぶら下がるように取り付けられている。カメラ部３２の下方を向く先端部には、半球状の透明なドームカバー３３が取り付けられている。
【００１３】
カメラ部３２の内部には、カメラユニット３４が周知のパンチルトユニットを伴い収容されている。カメラユニット３４は、ドームカバー３３を通し周囲の風景等を撮像し、画像信号を有線又は無線により外部の画像制御部（不図示）に送出する。有線の場合の信号ケーブルは、カメラユニット３４からアーム部３１の内部を通り、ベース１及び設置面ＷＬに設けられた配線孔１５（図２も参照）を通して撮像装置９１から外部に引き出される。
【００１４】
カメラユニット３４はカメラ部３２と実質的に一体とされているものの、カメラ部３２はメンテナンスの必要から、アーム部３１に対しねじ止め又はバヨネット係合などの周知構造によって着脱可能に取り付けられている。
そのため、カメラ部３２（第２の部材）とベース１（第１の部材）とは、落下防止ワイヤとして機能するワイヤアセンブリ５により連結されている。
これにより、カメラ部３２とアーム部３１とを連結する着脱部材等に、予期せぬ強い外力が加わるなどしてカメラ部３２及びカメラユニット３４のいずれかがアーム部３１から分離しても、分離部分はその自重をワイヤアセンブリ５が支えるので落下が防止される。
【００１５】
ワイヤアセンブリ５の一端部は、撮像装置９１の製造工程においてカメラ部３２側に強固に連結される。すなわち、撮像装置９１は、ワイヤアセンブリ５の一端側がカメラ部３２に連結済みで、他端側がアーム部３１を通りカバー２から引き出された状態で出荷される。
従って、ワイヤアセンブリ５のベース１側の端部の連結は、撮像装置９１を設置面ＷＬに取り付ける作業の途中で行われる。
【００１６】
次に、ベース１におけるワイヤアセンブリ５の取り付け構造であるワイヤ取付構造ＳＫについて図２〜図６を参照して説明する。
図２に示されるように、ベース１は、設置面ＷＬにあてがわれ配線孔１５が形成された矩形平板状の底板１ａと、底板１ａの４つの縁部から枠状に立ち上げられた外壁１ｂと、を有する。
外壁１ｂにおける隣接する２つの入隅には、取付部１２，１３が設けられている。取付部１２，１３には、カバー２を止めるための取付ねじＮ２が螺合する雌ねじ部１２ａ，１３ａが形成されている。
また、底板１ａの右上位置には、ボス状の取付部１１が設けられている。取付部１１には、カバー２を取り付けるときに取付ねじＮ２が螺合する雌ねじ部１１ａが形成されている。
【００１７】
カバー２は、４つの取付ねじＮ２で取付られ、その中の左上の一つは、ワイヤ取付部７に設けられた雌ねじ部１６ｂに螺合する。
図２及び図３に示されるように、ワイヤ取付部７は、ベース１に形成された台座部１６と、ホルダ７１，移動プレート７２，及びコイルばね７３と、を含んで構成されている。
【００１８】
台座部１６は、ベース１の底板１ａから図２の前方側（紙面手前側）に矩形領域として突出した部分である。
図２及び図３（ａ）において、台座部１６の天面１６ａには、左右方向に延びる矩形の凹部であるガイド凹部１６ｃが形成されている。
ガイド凹部１６ｃには、移動プレート７２が左右方向に移動可能に収められている。
ガイド凹部１６ｃの深さは、移動プレート７２の厚さよりもわずかに大きくなっている。
台座部１６は、ガイド凹部１６ｃから鉛直下方に延びるように形成された雌ねじ部１６ｂを有する。
【００１９】
移動プレート７２は、左右方向を長手とする平板状の基部７２０と、基部７２０の左端部及び右端部において上方に立ち上げられたそれぞれ当て部７２１及びばね支持部７２３と、を有する。
基部７２０における当て部７２１に近い位置には、取付ねじＮ２のねじ部が通過可能な大きさの貫通孔７２２が形成されている。
ばね支持部７２３には、左右方向に貫く貫通孔であるばね支持孔７２３ａが形成されている。
基部７２０におけるばね支持部７２３に近い位置には、図３（ａ）に示されるワイヤ取付孔７２４が形成されている。
【００２０】
ホルダ７１は、中央部に切り起こしで形成された立ち上げ部７１２を有し矩形平板状に形成されている。ホルダ７１は、上下方向中央の左方側位置に貫通孔７１１を有する。
ホルダ７１は、ガイド凹部１６ｃに収められた移動プレート７２の一部を覆うように上から被せられ、ねじＮ１により台座部１６の天面１６ａに対しねじ止めされる。
このねじ止めされた状態で、貫通孔７１１は、台座部１６の雌ねじ部１６ｂと同心で雌ねじ部１６ｂよりも大径の孔として形成されている。
【００２１】
ホルダ７１の立ち上げ部７１２には、左右方向に貫く貫通孔７１２ａが形成されている。
この貫通孔７１２ａと、移動プレート７２のばね支持部７２３のばね支持孔７２３ａとの間には、引っ張りコイルばねであるコイルばね７３が掛け渡されている。コイルばね７３の圧縮力により、移動プレート７２は、左方に付勢されて当て部７２１がベース１の外壁１ｂの内側に当接している。
この状態で貫通孔７１１は移動プレート７２の基部７２０に覆われており、貫通孔７１１から雌ねじ部１６ｂを見ることはできない。また、基部７２０に設けられたワイヤ取付孔７２４は、ホルダ７１に覆われた位置にある。
【００２２】
図４（ａ），（ｂ）に示されるように、移動プレート７２は、コイルばね７３の圧縮力に抗して右方に移動させることが可能である。
移動プレート７２を右方へ所定距離移動させることで、貫通孔７１１と移動プレート７２の貫通孔７２２とを同心位置ＣＰ７で位置合わせでき、雌ねじ部１６ｂを、貫通孔７１１及び貫通孔７２２を通して上方から臨むことができる。
また、貫通孔７１１と貫通孔７２２とが同心となる位置で、ワイヤ取付孔７２４は、ホルダ７１に覆われない位置に移動し外部に露出する。
【００２３】
ワイヤアセンブリ５は、図５に示されるように、一端側がカメラ部３２に連結されたワイヤ５１と、ワイヤ５１の他端側に連結部５２を介して連結されたワイヤ固定具５３と、を有する。
ワイヤ固定具５３は、ワイヤ取付孔７２４に離脱不能に係合する係合片５３ａを有する。
移動プレート７２を右方に移動してワイヤ取付孔７２４を露出させ、ワイヤ固定具５３を取り付けることで、コイルばね７３の圧縮力による移動プレート７２の左方への復帰移動は、ばね支持部７２３とホルダ７１との間にワイヤ固定具５３が挟まることで規制される。
すなわち、ワイヤアセンブリ５がワイヤ取付部７に取り付けられていない状態（第１の状態）では、ワイヤ取付部７の雌ねじ部１６ｂへ取付ねじＮ２を取り付けることができない。一方、ワイヤアセンブリ５がワイヤ取付部７に取り付けられた状態（第２の状態）では、図６に示されるように、ホルダ７１の貫通孔７１１及び移動プレート７２の貫通孔７２２を通して雌ねじ部１６ｂへのねじＮ２の螺合が可能となり、カバー２をベース１に、取付ねじＮ２によって４箇所固定することができる。
【００２４】
これにより、設置作業において、ワイヤ取付部７に対応した取付ねじＮ２を取り付けることができなければ、ワイヤアセンブリ５が取り付けられていない、ということが把握できる。
また、設置面ＷＬに設置された撮像装置９１において、設置作業終了後においても、台座部１６に取り付けられる取付ねじＮ２が使用されているか否かは、外部から把握可能である。これにより、設置後の撮像装置９１において、落下防止ワイヤとしてのワイヤアセンブリ５の装着／非装着を把握することができる。
【００２５】
以上詳述した実施例は、上述の構成に限定されるものではなく、本発明の要旨を逸脱しない範囲において変形してもよい。
【００２６】
図７は、ワイヤ取付構造ＳＫの変形例であるワイヤ取付構造ＳＫＡを示す図である。ワイヤ取付構造ＳＫＡでは、ベース１及びカバー２の替わりに、それぞれベース１Ａ及びカバー２Ａを用いる。
図７（ａ）はベース１Ａにワイヤアセンブリ５が取り付けられていない状態、図７（ｂ）はベース１Ａにワイヤアセンブリ５が取り付けられた状態を示す部分断面図である。
【００２７】
ベース１Ａには、ワイヤ取付部７Ａが取付ねじＮ２の取付部位とは別に独立して形成されている。
ワイヤ取付部７Ａは、ワイヤ取付部７における台座部１６を、雌ねじ部１６ｂの替わりにカバー２Ａに対向する側に開口する穴１６ｄを有する台座部１６Ａに置き換えたものである。
また、カバー２Ａには、移動プレート７２が右方に移動しホルダ７１の貫通孔７１１と移動プレート７２の貫通孔７２２が概ね同心位置になった状態で、貫通孔７１１及び貫通孔７２２を通して穴１６ｄに進入可能な突起部２１を有している。
【００２８】
すなわち、図７（ａ）に示すように、移動プレート７２のワイヤ取付孔７２４にワイヤアセンブリ５が取り付けられていない状態（第１の状態）で、カバー２Ａをベース１Ａに取り付けようとしても、突起部２１がホルダ７１に当接してカバー２Ａの取付面２２とベース１Ａの取付面１８とが離隔した状態となるので取付不能となる。
一方、図７（ｂ）に示すように、移動プレート７２を移動して露出したワイヤ取付孔７２４にワイヤアセンブリ５を取り付けた状態（第２の状態）では、カバー２は、突起部２１が穴１６ｄの開口部１６ｄ１に進入してカバー２Ａの取付面２２と取付面１８とが当接した取付可能位置となる。
従って、ワイヤ取付構造ＳＫＡを有する撮像装置９１では、カバー２Ａがベース１Ａに取り付けられていることを外部から視覚的に確認できれば、自ずとワイヤアセンブリ５が所定の位置に取り付けられていることが把握される。
【００２９】
次に、ワイヤ取付構造ＳＫの変形例２であるワイヤ取付構造ＳＫＢを説明する。図８は、ベース１の替わりにワイヤ取付構造ＳＫＢが備えるベース１Ｂを示す平面図であり、図８（ａ）はワイヤアセンブリ５に相当するワイヤアセンブリ５Ｂが取り付けられていない状態、図８（ｂ）はワイヤアセンブリ５Ｂが取り付けられた状態を示す図である。
【００３０】
ベース１Ｂは、平面視で円形の外形形状を呈し、周縁近傍に周方向に離隔した４つの雌ねじ部１Ｂａ〜１Ｂｄを有する。ベース１Ｂに対しカバー２に相当する円形形状のカバー（不図示）を取り付ける際に、雌ねじ部１Ｂａ〜１Ｂｄに取付ねじＮ２が螺合する。
ベース１Ｂは、周縁部から内側に突出した４箇所の鍔部１Ｂｇと、鍔部１Ｂｇによってベース１Ｂの中心軸まわりに所定の角度範囲で回動可能に保持された環状プレート８１と、を有する。
ベース１Ｂは、カメラユニット３４からの信号ケーブルを通す配線孔１５を有する。
【００３１】
環状プレート８１は、所定の回動位置において雌ねじ部１Ｂａ〜１Ｂｄをそれぞれ臨めるように対応して形成された貫通孔８１ａ〜８１ｄを有する。
環状プレート８１には、コイルばね７３Ｂの一端部を係止するばね係止孔８３ａを有するばね係止部８３を有する。
ベース１Ｂには、コイルばね７３Ｂの他端部を係止する係止リブ１Ｂｅが係止されている。環状プレート８１の内周縁には、ワイヤアセンブリ５Ｂの一端部を係止するワイヤ取付孔８２ａを有するワイヤ支持片８２が、ワイヤ取付部７Ｂとして内側に突出するよう形成されている。また、ベース１Ｂは、環状プレート８１の内周縁に沿って立設された弧状のガイドリブ１Ｂｆを有する。
ガイドリブ１Ｂｆは、ワイヤアセンブリ５Ｂのワイヤ５１Ｂが巻き付けられると共に、例えば、ガイドリブ１Ｂｆの表面に形成された溝とワイヤ５１Ｂとの強嵌合による係止などの周知の係止構造により緩みなく係止できるようになっている。
【００３２】
ばね係止部８３と係止リブ１Ｂｅとに両端が係止されたコイルばね７３Ｂの圧縮力により、環状プレート８１は、図８における反時計まわり方向に付勢され回動範囲の左まわり端位置で維持される。この状態が図８（ａ）に示される。
環状プレート８１は、コイルばね７３Ｂの圧縮力に抗して指などによって回動範囲の右まわり端位置まで回動可能である。この右まわり端位置において、貫通孔８１ａ〜８１ｄと雌ねじ部１Ｂａ〜１Ｂｄとが同心となって雌ねじ部１Ｂａ〜１Ｂｄが露出する。
そのため、環状プレート８１は、ワイヤ取付部７Ｂにワイヤアセンブリ５Ｂが取り付けられていない状態で、図８（ａ）に示されるように雌ねじ部１Ｂａ〜１Ｂｄを覆う位置にあり、カバーを取付ねじＮ２で取り付けることができない。
【００３３】
一方、ワイヤアセンブリ５Ｂの連結部５２Ｂを環状プレート８１のワイヤ取付孔８２ａを通してワイヤ支持片８２に連結し、図８（ｂ）に示されるように、環状プレート８１を指や工具などにより右まわり端位置まで回動させ、その状態でワイヤ５１Ｂをガイドリブ１Ｂｆに係止させる。
これにより、環状プレート８１は右まわり端位置に維持され、雌ねじ部１Ｂａ〜１Ｂｄは、貫通孔８１ａ〜８１ｄを通して取付ねじＮ２の螺合が可能となる。
すなわち、ベース１に対しカバー２を取付ねじＮ２を用いて取付可能となる。
従って、ワイヤ取付構造ＳＫＢを有する撮像装置９１では、カバー２がベース１に取り付けられていることを外部から視覚的に確認できれば、自ずとワイヤアセンブリ５が所定の位置に取り付けられていることが把握される。
【００３４】
ワイヤ取付構造ＳＫの変形は、上述の変形例１、２に限定されない。例えば、移動プレート７２を、図３（ａ）におけるホルダ７１の左端から左側がないものとしてもよい。この場合、ワイヤアセンブリ５を取り付けた図６に示される状態で、移動プレート７２の左端部が雌ねじ部１６ｂよりも右方に位置するので雌ねじ部１６ｂが露出して取付ねじＮ２でのカバー２の取付が可能となる。
この変形により、図３（ａ）においてワイヤ取付部７の設置位置を左方に移動可能となり、ワイヤ取付部７を、より外壁１ｂに接近した位置に設置できる。
【００３５】
カバー２を取り付けるための取付部材は、取付ねじＮ２のようなねじを用いるものに限らない。二つの部材をスナップフィットで結合するファスナなどであってもよい。
高所設置機器は、実施例で説明した撮像装置９１に限定されるものではなく、照明装置、通信装置、センサ装置、音響再生装置、案内表示装置などであってもよい。
【符号の説明】
【００３６】
１，１Ａ，１Ｂ  ベース
１ａ  底板
１ｂ  外壁
１Ｂａ〜１Ｂｄ  雌ねじ部
１Ｂｅ  係止リブ
１Ｂｆ  ガイドリブ
１Ｂｇ  鍔部
１１，１２，１３  取付部
１１ａ，１２ａ，１３ａ  雌ねじ部
１５  配線孔
１６，１６Ａ  台座部
１６ａ  天面
１６ｂ  雌ねじ部
１６ｃ  ガイド凹部
１６ｄ  穴
１６ｄ１  開口部
１８  取付面
２  カバー
２１  突起部
２２  取付面
３  撮像部
３１  アーム部
３２  カメラ部
３３  ドームカバー
３４  カメラユニット
５，５Ｂ  ワイヤアセンブリ
５１，５１Ｂ  ワイヤ
５２，５２Ｂ  連結部
５３  ワイヤ固定具
５３ａ  係合片
７，７Ａ，７Ｂ  ワイヤ取付部
７１  ホルダ
７１１  貫通孔
７１２  立ち上げ部
７１２ａ  貫通孔
７２  移動プレート
７２０  基部
７２１  当て部
７２２  貫通孔
７２３  ばね支持部
７２３ａ  ばね支持孔
７２４  ワイヤ取付孔
７３，７３Ｂ  コイルばね
８１  環状プレート
８１ａ〜８１ｄ  貫通孔
８２  ワイヤ支持片
８２ａ  ワイヤ取付孔
８３  ばね係止部
８３ａ  ばね係止孔
９１  撮像装置（監視カメラ装置、高所設置機器）
Ｎ１，Ｎ２  取付ねじ
ＳＫ，ＳＫＡ，ＳＫＢ  ワイヤ取付構造
ＷＬ  設置面
【図１】
2020046522.tif 000003
【図２】
2020046522.tif 000004
【図３】
2020046522.tif 000005
【図４】
2020046522.tif 000006
【図５】
2020046522.tif 000007
【図６】
2020046522.tif 000008
【図７】
2020046522.tif 000009
【図８】
2020046522.tif 000010